(57)【要約】【課題】従来よりも多くの運転モードを持つ換気装置に買い替え、従来の加熱調理機器を継続して使用する場合でも、全運転モードへ切り替えが可能な換気装置を提供すること。【解決手段】加熱調理機器２の運転状態を表す信号と加熱調理機器２の表面温度を用いて換気風量を決定する第１のモードと、加熱調理機器２の運転状態を表す信号のみを用いて換気風量を決定する第２のモードと、加熱調理機器２の運転信号を無視し、風量を手動で設定する第３のモードを有し、第１のモードから第３のモードの一つを選択する運転モード設定手段１２を備えた構成にしたことにより、加熱調理機器２を買い換えることなく、全ての運転モードに切り替えることができる換気装置を得られる。【選択図】図２
2012042075.tif 000002
【特許請求の範囲】
【請求項１】
加熱調理機器の上方に設置して、換気を行う送風手段と、手動で風量を設定する風量設定手段と、前記加熱調理機器が発信する運転状態を表す信号を受信する受信手段と、前記加熱調理機器の表面の温度を検知する温度検知手段と、前記送風手段を運転する風量を決定する制御部とを備え、前記制御部は、前記加熱調理機器からの信号と前記加熱調理機器の表面温度を用いて換気風量を決定する第１のモードと、前記加熱調理機器からの信号のみを用いて換気風量を決定する第２のモードと、前記加熱調理機器の運転信号を無視し、風量を手動で設定する第３のモードを有し、前記第１のモードから第３のモードの一つを選択する運転モード設定手段を備えた換気装置。
【請求項２】
前記運転モード設定手段として赤外線リモコンを用い、遠隔操作によって前記運転モードの設定を切り替えることが可能な請求項１に記載の換気装置。
【請求項３】
前記風量設定手段を長押しまたは同時押しの少なくとも一方を用いた方法で操作することで設定を切り替える前記運転モード設定手段を設けた、請求項１に記載の換気装置。
【請求項４】
前記風量設定手段を換気装置の前面に設けた、請求項３に記載の換気装置。
【請求項５】
前記運転モード設定手段によって設定された運転モードを報知する報知手段を備えた、請求項１に記載の換気装置。
【請求項６】
前記報知手段として、前記換気装置本体に表示手段を備えた、請求項５に記載の換気装置。
【請求項７】
前記報知手段として、前記換気装置本体に音発生手段を備えた、請求項５に記載の換気装置。
【発明の詳細な説明】
【技術分野】
【０００１】
本発明は、加熱調理機器の運転と連動して換気風量を切り替える換気装置に関するものである。
【背景技術】
【０００２】
従来、この種の換気装置は、加熱調理機器と赤外線通信を行い、加熱調理機器の動作と連動して換気装置の運転／停止を行うものであり、加熱調理機器の設定によって換気装置の連動／非連動を切り替えるものが知られている（例えば、特許文献１参照）。
【先行技術文献】
【特許文献】
【０００３】
【特許文献１】特開２００９−２１８１０７号公報
【発明の概要】
【発明が解決しようとする課題】
【０００４】
このような従来の方式において、加熱調理機器と連動する運転モード、加熱調理機器とは連動しない運転モードを持つ換気装置に対し、加熱調理機器と連動し、さらに加熱調理機器の表面温度に応じて風量を調節する３つ目の運転モードを持つ換気装置が開発されているが、３種類の運転モードを持つ換気装置に買い替え、従来の加熱調理機器を継続して使用する場合、従来の加熱調理機器では連動設定あり／なしの設定しかできないため、運転モードを２種類にしか切り替えることができず、使い勝手が良くない。
【０００５】
そこで本発明は、上記従来の課題を解決するものであり、加熱調理機器を買い換えることなく、加熱調理機器の運転時の換気装置の動作は、換気装置の運転モードのうちのいずれかに選択的に設定することができる換気装置を提供することを目的とする。
【課題を解決するための手段】
【０００６】
そして、この目的を達成するために、本発明は、加熱調理機器の上方に設置して、換気を行う送風手段と、手動で風量を設定する風量設定手段と、前記加熱調理機器が発信する運転状態を表す信号を受信する受信手段と、前記加熱調理機器の表面の温度を検知する温度検知手段と、前記送風手段を運転する風量を決定する制御部とを備え、前記制御部は、前記加熱調理機器からの信号と前記加熱調理機器の表面温度を用いて換気風量を決定する第１のモードと、前記加熱調理機器からの信号のみを用いて換気風量を決定する第２のモードと、前記加熱調理機器の運転信号を無視し、風量を手動で設定する第３のモードを有し、前記第１のモードから第３のモードの一つを選択する運転モード設定手段を備えた換気装置としたものであり、これにより所期の目的を達成するものである。
【発明の効果】
【０００７】
本発明によれば、前記第１のモードから第３のモードの一つを選択する運転モード設定手段を、換気装置本体に備えた構成としたことにより、加熱調理機器を買い換えることなく、加熱調理機器の運転時の換気装置の動作は、換気装置の運転モードのうちのいずれかに選択的に設定することができ、使い勝手が向上するという効果を得ることができる。
【図面の簡単な説明】
【０００８】
【図１】本発明の実施の形態１の換気装置の構成を示す斜視図
【図２】同実施の形態１の換気装置の構成を示すブロック図
【図３】同実施の形態２の換気装置の構成を示すブロック図
【発明を実施するための形態】
【０００９】
本発明の請求項１記載の換気装置は、加熱調理機器の上方に設置して、換気を行う送風手段と、手動で風量を設定する風量設定手段と、前記加熱調理機器が発信する運転状態を表す信号を受信する受信手段と、前記加熱調理機器の表面の温度を検知する温度検知手段と、前記送風手段を運転する風量を決定する制御部とを備え、前記制御部は、前記加熱調理機器からの信号と前記加熱調理機器の表面温度を用いて換気風量を決定する第１のモードと、前記加熱調理機器からの信号のみを用いて換気風量を決定する第２のモードと、前記加熱調理機器の運転信号を無視し、風量を手動で設定する第３のモードを有し、前記第１のモードから第３のモードの一つを選択する運転モード設定手段を備えた構成を有する。これにより、加熱調理機器を買い換えることなく、組み合わせて使用する加熱調理機器に合わせて、加熱調理機器の運転時の換気装置の動作は、換気装置の運転モードのうちのいずれかに選択的に設定することができるので、使い勝手が向上するという効果を奏する。
【００１０】
また、請求項２記載の換気装置は、前記運転モード設定手段として赤外線リモコンを用い、遠隔操作によって前記運転モードの設定を切り替えることが可能なものである。これにより、離れた場所からも操作でき、容易に運転モードの設定変更ができるため、使い勝手が向上するという効果を奏する。
【００１１】
また、請求項３記載の換気装置は、前記風量設定手段を長押しまたは同時押しの少なくとも一方を用いた方法で操作することで設定を切り替える前記運転モード設定手段を設けたものである。これにより、既存の風量設定手段を組み合わせて操作することにより、新しい運転モード設定手段を追加する必要がなく、また、組み合わせ操作で設定するため、誤操作で設定変更してしまうリスクが低くなり、デザイン性を落とさず、かつ誤操作による設定モードの変更を防ぐことができるという効果を奏する。
【００１２】
また、請求項４記載の換気装置は、前記風量設定手段を換気装置の前面に設けたものである。これにより、前面部分の操作で風量設定や運転モードの変更が可能となり、使い勝手が向上するという効果を奏する。
【００１３】
また、請求項５記載の換気装置は、前記運転モード設定手段によって設定された運転モードを報知する報知手段を備えたものである。これにより、使用者は容易に設定したモードを認識することができ、使い勝手が向上するという効果を奏する。
【００１４】
また、請求項６記載の換気装置は、前記報知手段として、前記換気装置本体に表示手段を備えたものである。これにより、使用者は設定したモードを視覚的に認識することができ、使い勝手が向上するという効果を奏する。
【００１５】
また、請求項７記載の換気装置は、前記報知手段として、前記換気装置本体に音発生手段を備えたものである。これにより、使用者は設定されたモードを音で聞くことにより、容易にかつよりわかりやすく設定したモードを認識することができ、使い勝手が向上するという効果を奏する。
【００１６】
以下、本発明の実施の形態について図面を参照しながら説明する。
【００１７】
（実施の形態１）
図１は、本発明実施の形態１における換気装置の構成を表す斜視図である。図１に示すように、換気装置本体１は、加熱調理機器２の上部に設置され、換気装置本体１内部には、送風手段３ａが構成されている。送風手段３ａは、加熱調理機器２を用いてユーザが調理した際に発生する油煙等を吸い上げ、吐出口４から屋外へ排出するものである。換気装置本体１の前面には風量設定手段５が設けられている。風量設定手段５は、運転／停止の切り替えや風量の強弱を手動で設定するものであり、複数のスイッチからなる。
【００１８】
図２は、本発明実施の形態１における換気装置の構成を表すブロック図である。加熱調理機器２は、運転ＯＮ／ＯＦＦや火力を設定する加熱調理機器操作手段６と、設定内容を運転状態として赤外線信号で換気装置本体１へ送信する送信手段７を備えている。換気装置本体１は、加熱調理機器２または赤外線リモコン１３からの信号を受信する受信手段８と、加熱調理機器２のトッププレート１０上の温度を検知する温度検知手段９と、風量設定手段５と、受信手段８と温度検知手段９と風量設定手段５からの情報をもとに換気風量を決定する制御部１１と、制御部１１で決定した風量に基づいて送風する送風手段３ａを備えている。制御部１１では換気風量を決定する方法を運転モードとして持ち、具体的には、加熱調理機器２の運転状態と温度検知手段９で検知した温度の両方を用いて風量を決定する第１のモードと、加熱調理機器２の運転状態のみを用いて風量を決定する第２のモードと、加熱調理機器２からの運転状態の信号を無視し、風量設定手段５によって手動で風量を決定する第３のモードがある。換気運転時は、これら３つの運転モードのうち、いずれか一つが選択された状態となっており、この運転モードは赤外線リモコン１３を用いて設定する。赤外線リモコン１３は、換気装置本体１の換気風量を遠隔から変更する遠隔風量設定手段１４と、運転モードを設定する運転モード設定手段１２を備えている。さらに、換気装置本体１は、運転モード設定手段１２によって設定された運転モードをユーザに報知する報知手段１５を備えている。
【００１９】
従来は、運転モードの設定方法として、換気装置と連動する／連動しないを加熱調理機器側で設定していたため、本実施の形態のように３つの運転モードを持つ換気装置に対して従来の連動ＯＮ／ＯＦＦ設定しかできない加熱調理機器を組み合わせて使用した場合、３つの運転モード中２つの運転モードまでしか選択することができないという課題があった。そこで、換気装置本体に直接運転モードを設定する運転モード設定手段を設けることが有効となる。
【００２０】
このような構成とすることにより、従来のように連動ＯＮ／ＯＦＦの２つの運転モードの切り替えにしか対応していない加熱調理機器に対して、新たに３つの運転モードを持つ換気装置に変更交換した場合でも、加熱調理機器を買い換えることなく、組み合わせて使用する加熱調理機器に合わせて使用することができる。つまり、加熱調理機器の運転時の換気装置の動作は、換気装置の運転モードのうちのいずれかに選択的に設定して加熱調理機器と換気装置の動作を連動させることができる。また、リモコンによる遠隔操作が可能なため離れた場所からでも容易に運転モードの設定変更ができ、使い勝手を向上させることができる。以下、その詳細な流れについて説明する。
【００２１】
ユーザは、換気装置使用前にあらかじめ３つの運転モードのうち１つを運転モード設定手段１２によって選択しておく。運転モード設定手段１２は、赤外線リモコン１３に備えた運転モード変更スイッチである。ユーザは運転モード変更スイッチの操作によって運転モードを変更することができる。第１のモードでは、加熱調理機器２が運転を開始してもすぐに換気風量は上がらず、温度の上昇とともに風量を上げるため、消費電力を抑えた効率の良い運転ができる。第２のモードでは、加熱調理機器２が運転を開始すると同時に所定の風量で換気運転をするため、調理の開始とともに強い風量で換気したい場合などに有効である。第３のモードは、調理と関係なく手動操作で換気風量を設定して使用する場合などに用いる。ここでは、第１のモードに設定された場合の例を示す。
【００２２】
ユーザが加熱調理機器操作手段６を操作し、加熱調理機器２の運転を開始したとき、送信手段７により、例えば、「運転ＯＮ、火力３」などの運転状態を赤外線信号として換気装置本体１へ送信する。換気装置本体１では、受信手段８によって加熱調理機器２からの信号を受信するとともに、熱起電力型温度センサからなる温度検知手段９によって加熱調理機器２のトッププレート１０上の温度を検知する。制御部１１では、受信手段８によって受信した運転状態と温度検知手段９によって検知した温度をもとに換気風量を決定し、送風手段３ａの運転を制御する。
【００２３】
また、第１のモードや第２のモードに設定されているときに、風量設定手段５または遠隔風量設定手段１４によって手動で風量が切り替えられた場合には、風量の変更を受け付けると同時に第３のモードへと移行する。設定中の運転モードは報知手段１５により、ユーザに報知する。具体的には表示手段として設定中の運転モードを表すＬＥＤを点灯させ、設定に変更があったときは音発生手段により、音声でモードの変更を知らせる。
【００２４】
以上のように、従来のように連動ＯＮ／ＯＦＦの２つの運転モードの切り替えにしか対応していない加熱調理機器に対して、換気装置を新たに３つの運転モードを持つ換気装置に交換した場合でも、加熱調理機器を買い換えることなく、全ての運転モードに切り替えることができ、使い勝手を向上させることができる。
【００２５】
（実施の形態２）
本発明の実施の形態２について図３を参照しながら説明する。なお、図３において、図２と同様の構成要素については同一の符号を付し、その詳細な説明は省略する。図３に示すように、実施の形態２の換気装置の構成は、実施の形態１の換気装置の構成に対して、運転モード設定手段１２を風量設定手段５の所定の操作によって実現した構成とする。具体的には、風量設定手段５として設けている複数の操作スイッチのうち一つを長押しすることによって設定モードに入り、表示手段であるＬＥＤを点滅させることで設定モードに入ったことを報知する。なお、本実施形態では複数のスイッチのうち一つを長押しすることによって設定モードに入るとしたが、二つ以上のスイッチを同時に長押しすることによって設定モードに入るものとしてもよい。
【００２６】
設定モードに入った状態で、操作スイッチの一つを１回押すごとに運転モードが変更され、設定中の運転モードを表すＬＥＤを点滅させる。同じ運転モードを表すＬＥＤが所定の時間（例えば５秒間）点滅した状態が続くと、ＬＥＤは点灯に変わり、設定中の運転モードが確定する。なお、本実施形態では運転モード表示専用のＬＥＤを設けて設定中の運転モードを報知するものとしたが、風量の強／中／弱を表すＬＥＤと運転モードを区別するＬＥＤを兼用してもよい。
【００２７】
このような構成によれば、本来は別の用途として設けた風量設定手段５を用いて、運転モードの設定を行うことができるため、新しいスイッチを追加する必要がなく、デザイン性を落とさず、運転モードを変更する機能の追加が安価に実現できる。また、長押しや同時押しといった、組み合わせ操作で設定を変更するため、運転モード設定用のスイッチを単独で設けた場合に比べ、誤操作で設定変更してしまう可能性が低くなる。
【産業上の利用可能性】
【００２８】
本発明にかかる換気装置は、従来よりも多くの運転モードを持つ換気装置に買い替え、従来の加熱調理機器を継続して使用する場合でも、全運転モードへ切り替えを可能とするものであるので、家庭用、業務用を問わず換気装置全般に有用である。
【符号の説明】
【００２９】
１    換気装置本体
２    加熱調理機器
３ａ  送風手段
４    吐出口
５    風量設定手段
６    加熱調理機器操作手段
７    送信手段
８    受信手段
９    温度検知手段
１０  トッププレート
１１  制御部
１２  運転モード設定手段
１３  赤外線リモコン
１４  遠隔風量設定手段
１５  報知手段
【図１】
2012042075.tif 000003
【図２】
2012042075.tif 000004
【図３】
2012042075.tif 000005